(57)【特許請求の範囲】
【請求項１】
塊状物処理装置から塊状物を排出するために用いられる塊状物排出装置であって、塊状物を一時的に収納する一時収納室と、前進してその先端部が前記一時収納室の側壁に密着することで前記一時収納室内を上部一時収納室と下部一時収納室に２分割するスライドゲートと、前記下部一時収納室内の塊状物を外部に排出するための排出扉とを備えているとともに、前記スライドゲートの先端部が前記一時収納室の側壁に密着する位置の上方に、前記スライドゲートの先端部を覆う傘部材が設置されていて、前記傘部材は前記側壁から斜め下方に直線的に延びる傾斜面を有し、前記傘部材の傾斜面の水平方向の長さＬは塊状物の平均等価粒径Ｄに対して（１）式の範囲であり、前記傘部材の傾斜面の水平方向に対する傾斜角θは（２）式の範囲であり、前記スライドゲートの先端が側壁に接触する位置と前記傘部材の下端との距離Ｓは塊状物の平均等価粒径Ｄに対して（３）式の範囲であることを特徴とする塊状物排出装置。
３Ｄ≦Ｌ≦５Ｄ        ・・・（１）
３０°≦θ≦４５°        ・・・（２）
Ｄ≦Ｓ≦２Ｄ        ・・・（３）
【発明の詳細な説明】
【技術分野】
【０００１】
本発明は、密閉性が要求される塊状物処理装置（例えば、高熱の塊状物から熱回収を行う塊状物熱回収装置や乾留炉）に取り付けられて、塊状物処理装置から塊状物を排出するために用いられる塊状物排出装置に関するものである。
【背景技術】
【０００２】
例えば、高熱の塊状物から熱回収を行う塊状物熱回収装置や乾留炉では、作動気体（熱回収用気体媒体）や発生ガスの漏洩あるいは外気の侵入を防止するために、密閉性が要求される。
【０００３】
従来、このような密閉性が要求される塊状物処理装置に取り付けられて、塊状物処理装置から塊状物を排出するために用いられる塊状物排出装置としては、以下のようなものが知られている。
【０００４】
例えば、２段になった開閉扉や弁等を交互に開閉することやこれらの開閉扉・弁等の間に窒素等のシールガスを流すことで、シール性（密閉性）を保持しながら、塊状物を排出する機構が知られている（例えば、特許文献１）。
【０００５】
その一例として、図４〜図６に、１段目の開閉扉がスライドゲートで、２段目の開閉扉が回転扉になった塊状物排出装置を示す。図４は縦断面図、図５は図４のＡ−Ａ矢視図である。また、図６は動作手順を示している。
【０００６】
図４、図５に示すように、この塊状物排出装置９は、密閉性が要求される塊状物処理装置（例えば、高熱の塊状物から熱回収を行う塊状物熱回収）３０の下部に取り付けられており、側壁１２、１３、１４、１５と傾斜した底板１６とで形成されて、塊状物を一時的に収納する一時収納室１１と、斜め上方向に前進してその先端部が側壁１２に密着することで一時収納室１１内を上部一時収納室１１ａと下部一時収納室１１ｂに２分割するスライドゲート１７と、下部一時収納室１１ｂ内の塊状物を外部に排出するための排出扉（回転扉）１８を備えている。
【０００７】
なお、底板１６の傾斜角αは４０°以上、スライドゲート１７の傾斜角βは４５°程度である。
【０００８】
そして、この塊状物排出装置９は図６（ａ）〜（ｄ）に示すように動作する。
【０００９】
（Ｐ１）図６（ａ）に示すように、スライドゲート１７を斜め上方向に前進させて（スライドゲート１７を閉止して）、スライドゲート１７の先端部を側壁１２に密着させることによって、一時収納室１１を上部一時収納室１１ａと下部一時収納室１１ｂに２分割するとともに、排出扉１８を閉止する。そして、この状態で、塊状物処理装置３０から処理後の塊状物１を上部一時収納室１１ａに受け入れて収納する。
【００１０】
（Ｐ２）次に、図６（ｂ）に示すように、スライドゲート１７を斜め下方向に後退させて（スライドゲート１７を開放して）、上部一時収納室１１ａの塊状物１の一部を下部一時収納室１１ｂに流入させて（切り出して）、下部一時収納室１１ｂに収納する。
【００１１】
（Ｐ３）次に、図６（ｃ）に示すように、スライドゲート１７を斜め上方向に前進させて（スライドゲート１７を閉止して）、スライドゲート１７の先端部を側壁１２に密着させることによって、上部一時収納室１１ａから下部一時収納室１１ｂへの塊状物１の流入を遮断する。
【００１２】
（Ｐ４）次に、図６（ｄ）に示すように、排出扉１８を開放して、下部一時収納室１１ｂ内の塊状物１を外部に排出する。そして、下部一時収納室１１ｂからの塊状物１の排出が終了したら、排出扉１８を閉止して、図６（ａ）の状態に戻り、図６（ａ）〜（ｄ）を繰り返す。
【００１３】
このようにして、この塊状物排出装置９は、密閉性が要求される塊状物処理装置３０から処理後の塊状物１をシール性（密閉性）を保持しながら排出することができるようにしている。
【先行技術文献】
【特許文献】
【００１４】
【特許文献１】特開２０１１−０５２０９７号公報
【発明の概要】
【発明が解決しようとする課題】
【００１５】
しかしながら、上記の図４〜図６に示した塊状物排出装置９は、以下のような問題ある。すなわち、上記（Ｐ３）において、スライドゲート１７を斜め上方向に前進させて、スライドゲート１７を閉止しようとした際に、図７（ａ）に示すように、スライドゲート１７の先端部と側壁１２との間に塊状物１ａが噛み込み、スライドゲート１７が側壁１２に密着せずに、完全には閉止されない状態となることがある。そのような状態になると、上記（Ｐ４）において、排出扉１８を開放した際に、図７（ｂ）に示すように、塊状物１ａの噛み込みによって生じた隙間１９によってシール性（密閉性）が低下し、その隙間１９から塊状物処理装置３０の作動気体や発生ガスが外部に流れ出したり、逆に、外気が流れ込んだりして、塊状物排出装置としての役割を充分に果たせなくなる。
【００１６】
この問題は、特に、塊状物１が球体ではなく多面体である場合などのように、塊状物１の流動性が低く、集積した塊状物１の中をスライドゲート１７を前進させた際に、スライドゲート１７の先端部から塊状物１が適切に移動・排除され難い場合に生じやすい。
【００１７】
本発明は、上記のような事情に鑑みてなされたものであり、密閉性が要求される塊状物処理装置に取り付けられて、塊状物処理装置から塊状物を排出するために用いられる塊状物排出装置として、塊状物の流動性が低い場合であっても、シール性（密閉性）を保持しながら塊状物を適切に排出することができる塊状物排出装置を提供することを目的とするものである。
【課題を解決するための手段】
【００１８】
上記課題を解決するために、本発明は以下の特徴を有する。
【００１９】
［１］塊状物処理装置から塊状物を排出するために用いられる塊状物排出装置であって、塊状物を一時的に収納する一時収納室と、前進してその先端部が前記一時収納室の側壁に密着することで前記一時収納室内を上部一時収納室と下部一時収納室に２分割するスライドゲートと、前記下部一時収納室内の塊状物を外部に排出するための排出扉とを備えているとともに、前記スライドゲートの先端部が前記一時収納室の側壁に密着する位置の上方に、前記スライドゲートの先端部を覆う傘部材が設置されていることを特徴とする塊状物排出装置。
【００２０】
［２］前記一時収納室の側壁に接触した際の前記スライドゲートの先端と、前記傘部材の下端との距離は、前記塊状物の平均等価粒径以上であることを特徴とする前記［１］に記載の塊状物排出装置。
【発明の効果】
【００２１】
本発明においては、密閉性が要求される塊状物処理装置に取り付けられて、塊状物処理装置から塊状物を排出するために用いられる塊状物排出装置として、塊状物の流動性が低い場合であっても、シール性（密閉性）を保持しながら塊状物を適切に排出することができる。
【図面の簡単な説明】
【００２２】
【図１】本発明の一実施形態を示す縦断面図である。
【図２】図１のＡ−Ａ矢視図である。
【図３】本発明の一実施形態における動作手順を示す図である。
【図４】従来技術を示す縦断面図である。
【図５】図４のＡ−Ａ矢視図である。
【図６】従来技術における動作手順を示す図である。
【図７】従来技術における問題点を示す図である。
【発明を実施するための形態】
【００２３】
本発明の一実施形態を図面に基づいて説明する。
【００２４】
図１は、本発明の一実施形態における塊状物排出装置１０の縦断面図、図２は図１のＡ−Ａ矢視図である。また、図３はこの塊状物排出装置１０の動作手順を示している。
【００２５】
図１、図２に示すように、この実施形態における塊状物排出装置１０において、基本的な構成は、前述の従来の塊状物排出装置９と同様であり、１段目の開閉扉がスライドゲートで、２段目の開閉扉が回転扉になった塊状物排出装置である。
【００２６】
すなわち、この塊状物排出装置１０は、密閉性が要求される塊状物処理装置（例えば、高熱の塊状物から熱回収を行う塊状物熱回収）３０の下部に取り付けられており、側壁１２、１３、１４、１５と傾斜した底板１６とで形成されて塊状物１を一時的に収納する一時収納室１１と、斜め上方向に前進してその先端部が側壁１２に密着することで一時収納室１１内を上部一時収納室１１ａと下部一時収納室１１ｂに２分割するスライドゲート１７と、下部一時収納室１１ｂ内の塊状物１を外部に排出するための排出扉（回転扉）１８を備えている。
【００２７】
なお、底板１６の傾斜角αは塊状物１の排出を良好とするため４０°以上である。また、スライドゲート１７の厚みｔは２０ｍｍ程度で、スライドゲート１７の傾斜角βは４５°程度である。スライドゲート１７は、塊状物１の充填層内を突き進むので、強度的にこの程度の厚みが必要であり、そのため先端を尖っている形状とし、また線接触ではなく先端部としての面による密着でシール性を確保するほうが好ましいからである。すなわち、限定される訳ではないが、スライドゲート１７は、縦断面で見ると、先端部を形成する１つの辺（線）が側壁１２に平行であり、その線の上端が先端ということになる。
【００２８】
そして、ここでは、塊状物が多面体（例えば、５０ｍｍ×５０ｍｍ×１０ｍｍの６面体、または／および、その程度の大きさの７〜１０面体）のように、流動性の低い形状である場合を想定している。
【００２９】
その上で、この実施形態における塊状物排出装置１０では、スライドゲート１７の先端が側壁１２に接触する位置Ｐ点の上方に、スライドゲート１７の先端部を覆う傘部材２１が設置されている。
【００３０】
これによって、傘部材２１の下方、すなわち、スライドゲート１７の先端が側壁１２に接触する位置Ｐの周辺に、塊状物の存在が希薄な空間が確保されるため、スライドゲート１７の先端部と側壁１２との間に塊状物が噛み込むことが防止される。
【００３１】
なお、傘部材２１の長さＬは、塊状物の平均等価粒径Ｄに対して、以下の範囲であることが好ましい。
【００３２】
３Ｄ≦Ｌ≦５Ｄ    ・・・（１）
【００３３】
これは、傘部材２１の長さＬが短過ぎると、塊状物の存在が希薄な空間を確保する効果が小さくなるからであり、傘部材２１の長さＬが長過ぎると、塊状物の流動を妨げるからである。
【００３４】
また、傘部材２１の傾斜角θは、以下の範囲であることが好ましい。
【００３５】
３０°≦θ≦４５°    ・・・（２）
【００３６】
これは、傘部材２１の傾斜角θが小さ過ぎると、傘部材２１の上に塊状物が堆積しやすくなるからであり、逆に、傘部材２１の傾斜角θが大き過ぎると、塊状物の存在が希薄な空間を確保する効果が小さくなるからである。
【００３７】
そして、スライドゲート１７の先端が側壁１２に接触する位置Ｐ点と、傘部材２１の下端Ｑ点との距離Ｓは、塊状物の平均等価粒径Ｄに対して、以下の範囲であることが好ましい。
【００３８】
Ｄ≦Ｓ≦２Ｄ    ・・・（３）
【００３９】
これは、距離Ｓを塊状物１の平均等価粒径Ｄ以上とすることによって、スライドゲート１７が前進する際に、スライドゲート１７の先端部で押された塊状物１が逃げやすくなり、塊状物がＰ点近傍に取り残されることを防げるからである。ただし、距離Ｓが大き過ぎると、傘部材２１の影響範囲からＰ点近傍が外れる可能性がでてくるので、距離Ｓは２Ｄ以下とするのが好ましい。
【００４０】
なお、上記の平均等価粒径Ｄは、塊状物を同じ体積の球体とした時の球体の直径を等価粒径とし、その等価粒径の平均値を平均等価粒径Ｄとしたものである。
【００４１】
そして、この塊状物排出装置１０の動作手順を図３（ａ）〜（ｄ）に示す。
【００４２】
（Ｓ１）図３（ａ）に示すように、スライドゲート１７を斜め上方向に前進させて（スライドゲート１７を閉止して）、スライドゲート１７の先端部を側壁１２に密着させることによって、一時収納室１１を上部一時収納室１１ａと下部一時収納室１１ｂに２分割するとともに、排出扉１８を閉止する。そして、この状態で、塊状物処理装置３０から処理後の塊状物１を上部一時収納室１１ａに受け入れて収納する。その際に、傘部材２１の下方に塊状物１の存在が希薄な空間２２が形成される。
【００４３】
（Ｓ２）次に、図３（ｂ）に示すように、スライドゲート１７を斜め下方向に後退させて（スライドゲート１７を開放して）、上部一時収納室１１ａの塊状物１の一部を下部一時収納室１１ｂに流入させて（切り出して）、下部一時収納室１１ｂに収納する。なお、傘部材２１の下方に形成された空間２２は保持される。
【００４４】
（Ｓ３）次に、図３（ｃ）に示すように、スライドゲート１７を斜め上方向に前進させて（スライドゲート１７を閉止して）、スライドゲート１７の先端部を側壁１２に密着させることによって、上部一時収納室１１ａから下部一時収納室１１ｂへの塊状物１の流入を遮断する。その際に、傘部材２１の下方に塊状物１の存在が希薄な空間２２が形成されていることによって、スライドゲート１７の先端と側壁１２との間に塊状物１が噛み込むことが防止される。
【００４５】
（Ｓ４）次に、図３（ｄ）に示すように、排出扉１８を開放して、下部一時収納室１１ｂ内の塊状物１を外部に排出する。そして、下部一時収納室１１ｂからの塊状物１の排出が終了したら、排出扉１８を閉止して、図３（ａ）の状態に戻り、図３（ａ）〜（ｄ）を繰り返す。
【００４６】
このようにして、この塊状物排出装置１０は、塊状物処理装置３０での処理後の塊状物１が多面体等の流動性が低い場合であっても、シール性（密閉性）を保持しながら塊状物１を適切に排出することができる。
【００４７】
なお、この実施形態では、排出扉１８として回転扉を用いているが、排出扉１８としてスライドゲートを用いてもよい。
【００４８】
また、ここでは、塊状物処理装置として、高熱の塊状物から熱回収を行う塊状物熱回収装置を例にして説明したが、本発明の塊状物排出装置は、乾留炉や廃棄物の焼却設備等から塊状物を排出するための塊状物排出装置としても用いることができる。
【００４９】
すなわち、本発明にいう塊状物処理装置は、処理前に当該処理装置内に塊状物が存在しているか否かにかかわらず、処理後に当該処理装置内に塊状物が存在する処理装置を意味している。
【００５０】
また、本発明は、対象とする塊状物の流動性が低く、スライドゲートの先端部と側壁との間に塊状物が噛み込みやすい場合に、大きな効果を発揮するものであり、例えば、塊状物の形状が多面体のように角部を有している場合や、塊状物の平均等価粒径Ｄが１０ｍｍ以上の場合である。
【符号の説明】
【００５１】
１  塊状物
１ａ  噛み込んだ塊状物
９  塊状物排出装置（従来技術）
１０  塊状物排出装置（本発明技術）
１１  一時収納室
１１ａ  上部一時収納室
１１ｂ  下部一時収納室
１２  側壁
１３  側壁
１４  側壁
１５  側壁
１６  底板
１７  スライドゲート
１８  排出扉
１９  隙間
２１  傘部材
２２  塊状物の存在が希薄な空間
３０  塊状物処理装置
【図１】
0006028691.tif 000002
【図２】
0006028691.tif 000003
【図３】
0006028691.tif 000004
【図４】
0006028691.tif 000005
【図５】
0006028691.tif 000006
【図６】
0006028691.tif 000007
【図７】
0006028691.tif 000008